(57)【要約】【課題】  医療従事者の看護行為中にマットセンサーによる呼び出しの報知を適切に停止する。【解決手段】  ベッドの一方の側の床にマットセンサー１を設置し、他方の側の所定の位置に超音波センサー２，３を設置する。超音波センサー２，３の少なくとも一方がベッドの幅よりも長い距離を検知した場合、マットセンサー１の検知で報知が行われる。一方、超音波センサー２，３の全てがベッドの幅以下の距離を検知した場合、マットセンサー１が検知しても報知が行われない。これにより、患者がベッドから離床した場合には、ベッド上の患者が少なくとも一つの超音波センサーによって検知されなくなり、報知が行われる。また、患者がベッド上に居る場合には、ベッド上の患者が全ての超音波センサー２，３によって検知され、マットセンサー１による報知が無効となる。その状態で医療従事者がマットセンサー１を踏んでも報知が行われない。【選択図】  図１
2011135967.tif 000002
【特許請求の範囲】
【請求項１】
ベッドの一方の側の近傍の床に設置され、所定の荷重を検知することで呼出信号を出力するマットセンサーと、
前記ベッドの他方の側の所定の位置に設置され、物体までの距離を検知する複数の超音波センサーと、
患者がベッドから離れたことを報知する報知部と、前記複数の超音波センサーが検知した距離が前記超音波センサーの設置位置から前記ベッドの一方の側までの所定の距離以下であるか否かを判定する判定部と、少なくとも一つの超音波センサーが前記所定の距離よりも長い距離を検知したと前記判定部にて判断した場合には、前記マットセンサーから出力された呼出信号の入力による前記報知部の動作を有効にするとともに、前記複数の超音波センサーの全てが前記所定の距離以下を検知したと前記判定部にて判断した場合には、前記マットセンサーから出力された呼出信号の入力による前記報知部の動作を無効にする制御部とを有するナースコール親機と、
を備えたことを特徴とするナースコールシステム。
【発明の詳細な説明】
【技術分野】
【０００１】
本発明は、患者がベッドを離床したことや、患者がベッドから転倒／転落したことをマットセンサーにより検出して医療従事者を呼び出すナースコールシステムに関する。
【背景技術】
【０００２】
一般に、病院や介護施設などでは、ナースコールシステムが用いられている。ナースコールシステムは、病院の患者が看護師のサポートを必要とする際、または介護施設の被介護者が介護師のサポートを必要とする際に、患者や被介護者（以下、患者と記載する）が呼出ボタンを押下することによって看護師や介護師（以下、医療従事者と記載する）を呼び出すことができるように成されたシステムである。
【０００３】
多くのナースコールシステムは、病室のベッド近傍やトイレ、浴室などに設置されるナースコール子機と、ナースセンターに設置されるナースコール親機と、病室や介護室等の各部屋の入口付近に設置される廊下灯と、通話やデータの送受信に関する制御を行う制御機とを備えて構成されている。また、上述した構成に加えて、医療従事者が携行する携帯端末（例えば、ＰＨＳ（Personal Handy phone System）端末など）とＰＢＸ（Private Branch Exchange：電話交換機）とを備えたナースコールシステムも提供されている。ここで、ナースコール子機としては、呼出ボタンを有するものがある。
【０００４】
そして、このようなナースコールシステムは、患者がナースコール子機の呼出ボタンを操作した場合に、ナースコール子機からナースコール親機へ呼出信号を出力し、呼出信号を入力したナースコール親機にて呼び出しを報知するように構成されている。
【０００５】
ナースコール親機には、ＬＥＤ（light-emitting  diode）などのランプと患者の名前などを表示する表示欄とを備えた選局部を患者の数に応じて組み合わせたボード形のものが知られている。ボード形のナースコール親機は、ナースセンターの壁面などに取り付けられ、ナースセンター内の医療従事者がボード形親機に表示された情報を閲覧することが可能である。ここで、ナースコール子機から出力された呼出信号を入力したナースコール親機では、呼出信号に含まれ、ナースコール子機を識別するための識別情報により呼び出しを行った患者（実際にはナースコール子機）を特定する。そして、特定されたナースコール子機を使用している患者の表示欄に対応する選局部のランプを点灯または点滅させることで呼び出しの報知を行っている。また、呼び出しの報知は、選局部のランプの点灯／点滅だけではなく、スピーカから出力される音声によっても行われる。
【０００６】
ここで、ナースコール親機としては、上述したボード形のものだけではなく、卓上に設置される卓上形のものや、報知や各種情報をディスプレイ上に表示するＰＣ（personal  computer）形のものも知られている。
【０００７】
このように、ナースコール親機にて呼び出しの報知が行われると、これに気付いた医療従事者が応答する必要がある。そのため、ナースコール親機には、呼び出しの報知に応答するためのハンドセットが設けられている。呼び出しの報知が行われている場合に、医療従事者がハンドセットをオフフックすると、呼び出しの報知が停止し、ナースコール親機とナースコール子機（またはナースコール子機が設置された病室）との間で通話路が形成される。ここで、ナースコール子機（または病室内）には、通話用のスピーカやマイクが設けられているため、患者と医療従事者との間で通話が可能となる。また、携帯端末が使用可能である場合には、医療従事者は、携帯端末を操作して呼び出しに応答することができる。
【０００８】
ところで、ナースコール子機には、上述した呼出ボタンを備えたものだけではなく、荷重を検知するセンサーを備えたシート状のマットセンサーも存在する。このマットセンサーをベッド近傍の床に敷き、患者が乗ったことをセンサーが検知することにより、患者の離床やベッドからの転倒／転落を示す呼出信号をナースコール親機へ出力するようにしたナースコールシステムも知られている（例えば、特許文献１など）。
【０００９】
しかしながら、上述したマットセンサーによって構成されるナースコール子機の場合、医療従事者が処置を行う際にマットセンサーに乗ってセンサーを動作させてしまった場合でも、患者の離床やベッドからの転倒／転落としてナースコール親機にて誤って報知が行われてしまうという問題があった。このような問題を解決するための技術として、ナースコール子機からの呼び出し、または、そのナースコール子機からの呼び出しの報知を一時的に停止する操作部を設け、医療従事者が処置を行う際にこの操作部を操作させるものが知られている（例えば、特許文献１など）。
【先行技術文献】
【特許文献】
【００１０】
【特許文献１】特開２００７−２８２８７８号公報
【発明の概要】
【発明が解決しようとする課題】
【００１１】
しかしながら、特許文献１に記載の技術では、医療従事者がナースコール子機からの呼び出しの報知を一時的に停止する操作部を操作しなければならないため、その手間がかかってしまい、非常に面倒であった。また、ナースコール子機からの呼び出しの報知を一時的に停止する操作部を、医療従事者が操作し忘れてしまった場合には、医療従事者が処置を行う際にマットセンサーに乗ると、誤った報知が行われてしまうという問題があった。
【００１２】
本発明は、このような問題を解決するために成されたものであり、患者がベッドを離床したことや、患者がベッドから転倒／転落したことをマットセンサーにより検出する場合に、医療従事者の看護行為中には呼び出しの報知を適切に停止することができるようにすることを目的とする。
【課題を解決するための手段】
【００１３】
上述した課題を解決するために、本発明では、ベッドの一方の側の近傍の床に荷重を検知するマットセンサーを設置し、ベッドの他方の側の所定の位置に物体までの距離を検知する複数の超音波センサーを設置する。そして、少なくとも一つの超音波センサーが、超音波センサーの設置位置からベッドの一方の側までの所定の距離よりも長い距離を検知した場合には、マットセンサーの検知による報知を有効とし、複数の超音波センサーの全てが所定の距離以下の距離を検知した場合には、マットセンサーの検知による報知を無効とするようにしている。
【発明の効果】
【００１４】
上記のように構成した本発明によれば、少なくとも一つの超音波センサーによってベッド上の物体が検知されなかった場合には、ベッド上に患者が居ない可能性が高いと判断される。また、全ての超音波センサーによってベッド上の物体が検知された場合には、ベッド上に患者が居る可能性が高いと判断される。これにより、患者がベッドから離床したり、転倒／転落したりした場合には、ベッド上の患者が少なくとも一つの超音波センサーによって検知されなくなるため、マットセンサーの検知による報知が有効とされる。一方、患者がベッド上に居る場合には、ベッド上の患者が全ての超音波センサーによって検知されるため、マットセンサーの検知による報知が無効とされる。その状態で医療従事者がベッド上の患者に看護行為を行ってマットセンサーを踏んだ場合でも、報知が行われなくなる。従って、患者がベッドを離床したことや、患者がベッドから転倒／転落したことをマットセンサーにより検出する場合に、医療従事者の看護行為中には呼び出しの報知を適切に停止することができる。
【図面の簡単な説明】
【００１５】
【図１】本実施形態によるナースコールシステムの構成例を示すブロック図である。
【図２】本実施形態のナースコールシステムにおけるセンサーの配置例を示す図である。
【図３】本実施形態によるナースコールシステムの動作を示すフローチャートである。
【発明を実施するための形態】
【００１６】
以下、本発明の一実施形態を図面に基づいて説明する。図１は、本実施形態によるナースコールシステムの構成例を示すブロック図である。また、図２は、本実施形態のナースコールシステムにおけるセンサーの配置例を示す図である。図１および図２において、１はマットセンサーであり、患者のベッドの一方の側の近傍の床に設置され、患者などによる荷重を検知して呼出信号を出力する。ここで、呼出信号には、このマットセンサー１を他のベッドに設置されたマットセンサー１と識別するための識別情報（例えば、ベッド番号など）が含まれる。
【００１７】
２は第一の超音波センサーであり、患者のベッドの他方の側の側板の第一の所定の位置に設置され、患者などの物体までの距離Ｓ１を検知し、第一の距離情報として出力する。３は第二の超音波センサーであり、患者のベッドの他方の側の側板の第二の所定の位置に設置され、患者などの物体までの距離Ｓ２を検知し、第二の距離情報として出力する。具体的には、第一の超音波センサー２や第二の超音波センサー３は、超音波をベッドの一方の側に向かって送出し、検知対象である物体の表面で反射して戻ってくるまでの時間を測定して第一の超音波センサー２から検知対象である物体までの距離Ｓ１または第二の超音波センサー３から検知対象である物体までの距離Ｓ２を得る。ここで、第一の距離情報には、この第一の超音波センサー２を第二の超音波センサー３や他のベッドに設置された第一の超音波センサー２、第二の超音波センサー３と識別するための識別情報（例えば、ベッド番号など）が含まれる。同様に、第二の距離情報には、第二の超音波センサー３を第一の超音波センサー２や他のベッドに設置された第一の超音波センサー２、第二の超音波センサー３と識別するための識別情報（例えば、ベッド番号など）が含まれる。
【００１８】
また、第一の所定の位置は、患者がベッド上に寝そべった場合に患者の身体を検知できる高さであり、かつ、患者の身体が患者の足方向の位置に偏って存在する場合でも患者の身体を検知できる場所である。また、第二の所定の位置は、患者がベッドに寝そべった場合に患者の身体を検知できる高さであり、かつ、患者の身体が患者の頭方向の位置に偏って存在する場合でも患者の身体を検知できる場所である。また、第一の所定の位置および第二の所定の位置は、患者がベッドに居ない状態でベッド上に掛け布団が存在する場合に、その掛け布団を検知する位置よりも高い位置にある。
【００１９】
１０はナースコール親機であり、医療従事者が常駐するナースセンターなどに設置され、医療従事者によって使用される。ここで、ナースコール親機１０は、制御部１１、インターフェース１２、判定部１３、記憶部１４、報知部１５を備えて構成されている。そして、病室内のマットセンサー１、第一の超音波センサー２、第二の超音波センサー３とナースコール親機１０との間には、廊下灯が接続されている。廊下灯は、病室内の患者の氏名を表示するとともに、病室内の患者が呼び出しを行った場合に呼び出しが行われたことを表示する。
【００２０】
制御部１１は、ナースコール親機１０の各構成要素を後述するように制御するためのものであり、ＣＰＵ（Central Processing Unit）などにより構成されている。親機インターフェース１２は、ナースコール親機１０とマットセンサー１、第一の超音波センサー２、第二の超音波センサー３とを接続して通信を行うためのものである。ここで、親機インターフェース１２は、マットセンサー１から出力された呼出信号を入力するとともに、第一の超音波センサー２から出力された第一の距離情報、および、第二の超音波センサー３から出力された第二の距離情報を入力する。
【００２１】
判定部１３は、第一の超音波センサー２から入力した第一の距離情報、および、第二の超音波センサー３から入力した第二の距離情報が、ともにベッドの幅Ｌ（特許請求の範囲の所定の距離に該当する）以下であるか否かを常時判定している。なお、本実施形態では、判定部１３が第一の超音波センサー２および第二の超音波センサー３の比較対象としている距離は、ベッドの幅Ｌであるが、これに限定されない。例えば、比較対象とする距離をベッドの幅Ｌ以下の所定の距離としても良い。これは、患者がベッドから転落しそうになっているようなケースを含むものである。
【００２２】
記憶部１４は、メモリやハードディスクなどの記憶装置により構成されており、マットセンサー１の識別情報と、そのマットセンサー１が設置されているベッドを使用する患者の患者情報（例えば、患者の氏名情報など）とを関連付けて記憶している。また、記憶部１４は、各ベッドの幅Ｌを示す距離情報を記憶している。報知部１５は、スピーカや表示ディスプレイ、ランプなどにより構成されており、患者がベッドを離床したり、転落したり、転倒したりしたことを報知する。
【００２３】
第一の超音波センサー２から入力した第一の距離情報、および、第二の超音波センサー３から入力した第二の距離情報の少なくとも一方がベッドの幅Ｌを示す距離情報よりも長い距離であると判定部１３にて判断した場合には、インターフェース１２がマットセンサー１から呼出信号を入力すると、制御部１１は報知部１５を動作させる。これは、少なくとも一つの超音波センサーが患者の身体を検知していない状態であると考えられる。すなわち、患者がベッドを離床したり、転落したり、転倒したりしている可能性が高いと考えられる。このとき、制御部１１は、呼出信号に含まれる識別情報と同一の識別情報を記憶部１４から抽出し、抽出した識別情報に関連付けて記憶されている患者情報を記憶部から取得する。これにより、マットセンサー１により検知が行われた患者が特定される。
【００２４】
この状態で、ナースコール親機１０や廊下灯、ベッド近傍などに設置された復旧操作部（図示せず）が医療従事者などによって操作されて復旧が行われると、制御部１１は、報知部１５の動作を停止させ、報知部１５は動作を停止する。
【００２５】
また、第一の超音波センサー２から入力した第一の距離情報、および、第二の超音波センサー３から入力した第二の距離情報がともにベッドの幅Ｌを示す距離情報以下の距離である（Ｓ１＜ＬかつＳ２＜Ｌ）と判定部１３にて判断した場合には（図２参照）、インターフェース１２がマットセンサー１から呼出信号を入力しても、制御部１１は報知部１５を動作させない。これは、全ての超音波センサー２，３が患者の身体を検知している状態であると考えられる。すなわち、患者がベッドを離床したり、転落したり、転倒したりしている可能性が低いと考えられる。そのため、マットセンサー１が荷重を検知するケースとしては、患者以外の者（医療従事者や他の患者）がマットセンサー１を踏んだ場合や、マットセンサー１に荷物などが置かれた場合などが考えられる。
【００２６】
次に、本実施形態によるナースコールシステムの動作を説明する。図３は、本実施形態によるナースコールシステムの動作を示すフローチャートである。まず、全ての超音波センサー（第一の超音波センサー２、および、第二の超音波センサー３）が検出した距離がベッドの幅Ｌ以下の距離であったか否かを判定部１３にて判定する（ステップＳ１）。全ての超音波センサー２，３の少なくとも一つがベッドの幅Ｌよりも長い距離を検知したと判定部１３にて判断した場合には（ステップＳ１にてＮＯ）、インターフェース１２が呼出信号を入力したか否か（換言すると、マットセンサー１が荷重を検知したか否か）を制御部１１にて判定する（ステップＳ２）。
【００２７】
マットセンサー１が荷重を検知していないと制御部１１にて判断した場合には（ステップＳ２にてＮＯ）、ステップＳ１の処理に戻る。一方、マットセンサー１が荷重を検知したと制御部１１にて判断した場合には（ステップＳ２にてＹＥＳ）、制御部１１は報知部１５を動作させて、報知部は報知を行う（ステップＳ３）。そして、復旧の操作が行われたか否かを制御部１１にて判断する（ステップＳ４）。復旧の操作が行われていないと制御部１１にて判断した場合には（ステップＳ４にてＮＯ）、ステップＳ４の処理を繰り返す。一方、復旧の操作が行われたと制御部１１にて判断した場合には（ステップＳ４にてＹＥＳ）、制御部１１は報知部１５の動作を停止させて、報知部１５は報知を停止する（ステップＳ５）。
【００２８】
また、全ての超音波センサー２，３がベッドの幅Ｌ以下の距離を検知したと判定部１３にて判断した場合には（ステップＳ１にてＹＥＳ）、マットセンサー１が荷重を検知したか否かを制御部１１にて判定する（ステップＳ６）。マットセンサー１が荷重を検知していないと制御部１１にて判断した場合には（ステップＳ６にてＮＯ）、ステップＳ１の処理に戻る。一方、マットセンサー１が荷重を検知したと制御部１１にて判断した場合には（ステップＳ６にてＹＥＳ）、制御部１１は報知部１５を動作させず、報知部１５は報知を行わない。
【００２９】
以上詳しく説明したように、本実施形態によれば、ベッドの一方の側の近傍の床に荷重を検知するマットセンサー１を設置し、ベッドの他方の側の所定の位置に物体までの距離を検知する第一の超音波センサー２および第二の超音波センサー３を設置する。そして、第一の超音波センサー２および第二の超音波センサー３の少なくとも一方がベッドの幅Ｌよりも長い距離を検知したと判定部１３にて判断した場合には、制御部１１は、マットセンサー１の検知により報知部１５を動作させる。一方、第一の超音波センサー２および第二の超音波センサー３の両方がベッドの幅Ｌ以下の距離を検知したと判定部１３にて判断した場合には、制御部１１は、マットセンサー１の検知により報知部１５を動作させないようにしている。
【００３０】
これにより、少なくとも一つの超音波センサーによってベッド上の物体が検知された場合には、ベッド上に患者が居ない可能性が高いと判断され、全ての超音波センサー２，３によってベッド上の物体が検知された場合には、ベッド上に患者が居る可能性が高いと判断される。そのため、患者がベッドから離床したり、転倒／転落したりした場合には、ベッド上の患者が少なくとも一つの超音波センサーによって検知されなくなるため、マットセンサー１の検知による報知が有効とされる。一方、患者がベッド上に居る場合には、ベッド上の患者が全ての超音波センサー２，３によって検知されるため、マットセンサー１の検知による報知が無効とされる。その状態で医療従事者がベッド上の患者に看護行為を行ってマットセンサー１を踏んだ場合でも、報知が行われなくなる。従って、患者がベッドを離床したことや、患者がベッドから転倒／転落したことをマットセンサー１により検知する場合に、医療従事者の看護行為中には呼び出しの報知を適切に停止することができる。
【００３１】
なお、前述した実施形態では、第一の超音波センサー２および第二の超音波センサー３の二つのみで距離の検知を行っているが、これに限定されない。例えば、三つ以上の超音波センサーを用いて距離の検知を行うようにしても良い。この場合、超音波センサーの設置条件は、前述した実施形態と同様である。
【００３２】
また、前述した実施形態では、第一の超音波センサー２および第二の超音波センサー３はベッドの側板に設置されているが、これに限定されない。例えば、病室の壁面に第一の超音波センサー２および第二の超音波センサー３を設けるようにしても良い。この場合、第一の超音波センサー２および第二の超音波センサー３の比較対象となる距離は、ベッドの幅Ｌではなく、病室の壁面から、ベッドにおけるマットセンサー１が設置されている側までの距離となる。
【００３３】
また、前述した実施形態では、判定部１３をナースコール親機１０に設け、報知部１５の制御をナースコール親機１０の制御部１１にて行っているが、これに限定されない。例えば、各病室の壁面に設けたウォールユニットに各センサー１〜３を接続し、このウォールユニットに判定部１３を設けて報知部１５の制御を行わせるようにしても良い。
【００３４】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３５】
１    マットセンサー
２    第一の超音波センサー
３    第二の超音波センサー
１０    ナースコール親機
１１    制御部
１２    親機インターフェース
１３    判定部
１４    記憶部
１５    報知部
【図１】
2011135967.tif 000003
【図２】
2011135967.tif 000004
【図３】
2011135967.tif 000005